【手続補正書】
【提出日】平成23年10月31日(2011.10.31)
【手続補正１】
【補正対象書類名】特許請求の範囲
【補正対象項目名】全文
【補正方法】変更
【補正の内容】
【特許請求の範囲】
【請求項１】
複数のプリントヘッドを有するインクジェット画像形成デバイスのためのバンディング調節方法であって、
テストバンド内の多くて1つの区画の受け取り面上に印刷するために、インクジェット画像形成デバイス内の複数のプリントヘッドの各プリントヘッドを制御することであって、各テストバンドを含む当該印刷された区画は、当該テストバンドの印刷の間、当該受け取り面の通り道に反対の方向に伸びている、当該制御することと、
デフォルト液滴質量とは異なる液滴質量を有するインク液滴で前記複数のテストバンド内の少なくとも１つのテストバンドの少なくとも1つの区画を印刷するために、前記複数のプリントヘッドの少なくとも１つのプリントヘッドによって生じた、インク液滴のための液滴質量を前記デフォルト液滴質量と前記調節された液滴質量との間で選択的に調節することと、
前記複数のテストバンド内のテストバンドの1つを選択するか又は前記複数のテストバンド内のテストバンドの少なくとも１つをランクづけするようユーザに促すことと、
を含み、
前記液滴質量を選択的に調節することは、
デフォルト液滴質量と調節された液滴質量それぞれを生成するため、前記デフォルト電圧レベルと前記調節電圧レベルとの間でプリントヘッドの各インクジェットノズルのための駆動信号を選択的に調節することと、
前記選択されたテストバンドの区画を印刷した各プリントヘッドによって使用された各駆動信号の電圧レベルを、前記選択されたテストバンドの区画を印刷した複数のプリントヘッドの各プリントヘッドのための新しいデフォルト電圧レベルとして記憶することと、
を含む前記方法。
【請求項２】
インクジェット画像形成デバイスのバンディング調節モードを選択することを更に含み、
前記複数のプリントヘッドの制御は、
前記選択されたバンディング調節モードに従って前記複数のテストバンド内の多くて1つの区画を印刷するために、前記複数のプリントヘッドを制御することを更に含む、
請求項１に記載の方法。
【請求項３】
複数のプリントヘッドを有するインクジェット画像形成デバイスのためのバンディング調節システムであって、
バンディング調節モードの選択を可能にし、プロンプトを受信するバンディング調節モードインタフェースと、
受取り面上に複数のテストバンドを印刷する複数のプリントヘッドのためのテストパターンデータを生成するように構成されたテストパターン発生器であって、複数のプリントヘッドの各プリントヘッドが各テストバンドの多くて１区画を印刷し、当該区画は、前記テストバンドの印刷の間に当該受取り面の通り道に反対の方向に伸びる各テストバンドを含み、前記複数のテストバンドの各テストバンドが、デフォルト液滴質量を有するインク液滴で形成された少なくとも1つの区画と、調節された液滴質量を有するインク液滴で形成された少なくとも1つの区画と、を有することができるように、前記デフォルト液滴質量と前記調節された液滴質量との間で前記区画を印刷した前記複数のプリントヘッド内のプリントヘッドによって生成された、インク液滴のための液滴質量を選択的に調整する、当該テストパターン発生器と、
前記バンディング調節モードインタフェース及び前記テストパターン発生器と通信するコントローラであって、前記バンディング調節モードの選択に応答して複数のテストパターンを生成するために、前記テストバンド発生器のための信号を生成し、かつ、前記バンディング調節モードインタフェースを介してユーザに印刷されたテストバンドの１つを選択を促すよう作動する、当該コントローラと、
前記コントロ―ラは、
前記デフォルト液滴質量と前記調節された液滴質量それぞれを生成するため、デフォルト電圧レベルと調節電圧レベルとの間でプリントヘッドの各インクジェットノズルのための駆動信号を選択的に調節することと、
前記選択されたテストバンドの区画を印刷した各プリントヘッドによって使用された各駆動信号の電圧レベルを、前記選択されたテストバンドの区画を印刷した複数のプリントヘッドの各プリントヘッドのための新しいデフォルト電圧レベルとして記憶することと、
によって前記液滴質量を選択的に調節する
を含む前記システム。
【請求項４】
前記テストパターン発生器は、インクの１つの色のための複数のテストバンドを印刷するために、複数のプリントヘッドを駆動するように構成されている、請求項３に記載の前記システム。
【請求項５】
前記テストパターン発生器は、インクの複数の色の各色のための複数のテストバンドを印刷するために、複数のプリントヘッドを駆動するように構成されている、請求項３に記載の前記システム。
【請求項６】
前記複数のプリントヘッドの各プリントヘッドは、識別子とともに、プリントヘッドのためのテストパターン発生器によって発生されたテストパターンに応じて、各テストバンドの複数のテストバンドを印刷するように構成されていることを特徴とする請求項３に記載の前記システム。
【請求項７】
前記テストパターン発生器は、全因数パターンで少なくとの１つの色のためのテストバンドのパターンを発生するために、複数のプリントヘッドのためのテストパターンを発生するように構成されていることを特徴とする請求項３に記載の前記システム。
【請求項８】
前記テストパターン発生器は、部分因数パターンで少なくとの１つの色のためのテストバンドのパターンを発生するために、複数のプリントヘッドのためのテストパターンを発生するように構成されていることを特徴とする請求項３に記載の前記システム。
【請求項９】
前記テストパターン発生器は、前記複数のプリントヘッドの１つのプリントヘッドによって発生されたインク液滴のための液滴質量を、前記選択されたテストバンドを印刷するために使用された他のプリントヘッドによって発生されたインク液滴のための液滴質量値の１つに選択的に調整することによって複数のテストバンドを印刷するために、複数のプリントヘッドのためのテストパターンを発生するように構成されていることを特徴とする請求項３に記載の前記システム。
【請求項１０】
インクジェット画像形成デバイスであって、
バンディング調節モードセレクタを有するユーザインタフェースと、
複数のプリントヘッドであって、各プリントヘッドが、複数のインクジェットノズルと、各インクジェットノズルの駆動信号を生成するプリントヘッドコントローラとを含み、各駆動信号が、ある液滴質量のインク液滴を射出するようにインクジェットノズルを駆動する電圧レベルを有し、各プリントヘッドコントローラが、複数のノズルによって射出される前記液滴質量を調節するために、前記駆動信号の前記電圧レベルを変更するよう作動する、プリントヘッドと、
前記複数のプリントヘッドに接続され、受取り面上に複数のテストバンドを印刷するように複数のプリントヘッドを駆動する複数のテストパターンを発生するように構成されたテストパターン発生器であって、複数のプリントヘッドの各プリントヘッドが各テストバンドの多くて１区画を印刷し、当該区画は、前記テストバンドの印刷の間に当該受取り面の通り道に反対の方向に伸びる各テストバンドを含み、前記複数のテストバンドの各テストバンドが、デフォルト液滴質量を有するインク液滴で形成された少なくとも1つの区画と、調節された液滴質量を有するインク液滴で形成された少なくとも1つの区画と、を有することができるように、前記デフォルト液滴質量と前記調節された液滴質量との間でプリントヘッドによって生成されたインク液滴を調整するため、プリントヘッドの１つの駆動信号の電圧レベルを選択的に調整することによって、テストバンドの各区画が印刷され、テストバンド発生器と、
前記ユーザインタフェース及び前記テストバンド発生器と通信するコントローラであって、前記バンディング調節モードの選択に応答して複数のテストパターンを生成するため、前記テストバンド発生器を作動させる信号を生成し、かつ、前記ユーザインタフェースを介してユーザに印刷されたテストバンドの１つの選択を促すよう作動する、コントローラと、
を含み、
前記コントロ―ラは更に、
前記デフォルト液滴質量と前記調節された液滴質量それぞれを生成するため、デフォルト電圧レベルと調節電圧レベルとの間でプリントヘッドの各インクジェットノズルのための駆動信号を選択的に調節することと、
前記選択されたテストバンドの区画を印刷した各プリントヘッドによって使用された各駆動信号の電圧レベルを、前記選択されたテストバンドの区画を印刷した複数のプリントヘッドの各プリントヘッドのための新しいデフォルト電圧レベルとして記憶することと、
によって前記液滴質量を選択的に調節する、
前記デバイス。